(57)【要約】【課題】仰向け、うつ伏せの双方の状態でおむつを容易に外すことができ、止着テープが意図せず外れてしまう事態を有効に防止することができるテープ型使い捨ておむつを提供する。【解決手段】少なくとも一部が液透過性材料からなるトップシート１８と液不透過性材料からなるバックシート２０の層間に吸収体２２が内包された構造を有するおむつ本体５０と、おむつ本体５０とは別部材として構成され、おむつ本体５０のうち後身頃６の両側縁部におむつ本体５０の両側縁５０ａ，５０ｂから更に外側に延出されるように配置された一対のサイドフラップ５６，５８と、サイドフラップ５６，５８の外側縁部にサイドフラップ５６，５８の外側縁５６ｂ，５８ｂから更に外側に延出されるように接合された、少なくとも一対の止着テープ６０，６２とを備え、サイドフラップ５６，５８がおむつ本体５０の後身頃６の外表面に弱接合されているテープ型使い捨ておむつ１Ａ。【選択図】図１Ｂ
2011120718.tif 000002
【特許請求の範囲】
【請求項１】
前身頃、股下部及び後身頃の各部から構成され、
少なくとも一部が液透過性材料からなるトップシートと液不透過性材料からなるバックシートの層間に吸収体が内包された構造を有するおむつ本体と、
前記おむつ本体とは別部材として構成され、前記おむつ本体のうち後身頃の両側縁部に、前記おむつ本体の両側縁から更に外側に延出されるように配置された一対のサイドフラップと、
前記サイドフラップの外側縁部に、前記サイドフラップの外側縁から更に外側に延出されるように接合された、少なくとも一対の止着テープと、を備え、
前記サイドフラップが、前記おむつ本体の後身頃の外表面に弱接合されているテープ型使い捨ておむつ。
【請求項２】
前記おむつ本体の両側縁部及び前記サイドフラップの内側縁部の少なくとも一方に、前記おむつ本体の両側縁部と前記サイドフラップの内側縁部とを係合可能なファスニング部材が接合されている請求項１に記載のテープ型使い捨ておむつ。
【請求項３】
前記サイドフラップは、前記おむつ本体の両側縁部に対して接合されて接合部が形成されるとともに、前記接合部の内側縁から前記サイドフラップの内側縁に至るまでの領域が内側自由端部、前記接合部の外側縁から前記サイドフラップの外側縁に至るまでの領域が外側自由端部となっており、
前記内側自由端部又は前記外側自由端部のうち前記おむつ本体と重畳的に配置される部分に、前記ファスニング部材としてメカニカルファスナーのフック材が付設されている請求項２に記載のテープ型使い捨ておむつ。
【請求項４】
前記サイドフラップは、前記おむつ本体の両側縁部に対して接合されて接合部が形成されるとともに、前記接合部の内側縁から前記サイドフラップの内側縁に至るまでの領域が内側自由端部となっており、
前記内側自由端部は、前記おむつ本体の幅方向中央に向かって凸となる凸部を少なくとも１箇所有する形状に形成されている請求項２又は３に記載のテープ型使い捨ておむつ。
【請求項５】
前記おむつ本体及び前記サイドフラップの少なくとも一方に、前記サイドフラップの内側縁の位置を示すマーキングが付されている請求項２〜４のいずれか一項に記載のテープ型使い捨ておむつ。
【請求項６】
前記サイドフラップは、前記おむつ本体の両側縁部に対して接合されて接合部が形成されるとともに、前記接合部の外側縁から前記サイドフラップの外側縁に至るまでの領域が外側自由端部となっており、
前記外側自由端部のうち前記おむつ本体と重畳的に配置される部分に、前記ファスニング部材としてメカニカルファスナーのフック材が付設されており、
前記外側自由端部の前記フック材の付設位置と前記接合部の外側縁との間の領域にサイドフラップ破断用の切り込み線が形成されている請求項２に記載のテープ型使い捨ておむつ。
【請求項７】
前記内側自由端部の上下方向中央部に、その軌跡が前記サイドフラップの内側縁に向かって凸となる形状に、サイドフラップ破断用の切り込み線が形成されており、
前記外側自由端部における前記フック材の付設位置と前記接合部の外側縁との間の領域に、前記内側自由端部に形成された前記切り込み線と前記外側自由端部の上端及び下端とを繋ぐようにサイドフラップ破断用の切り込み線が形成されている請求項６に記載のテープ型使い捨ておむつ。
【請求項８】
前記サイドフラップに、前記切り込み線の位置を示すマーキングが付されている請求項６又は７に記載のテープ型使い捨ておむつ。
【請求項９】
前記おむつ本体の両側縁部に、前記フック材と係合可能なメカニカルファスナーのループ材が付設されている請求項３〜８のいずれか一項に記載のテープ型使い捨ておむつ。
【請求項１０】
前記サイドフラップが伸縮性素材によって構成されている請求項１〜９のいずれか一項に記載のテープ型使い捨ておむつ。
【請求項１１】
前記サイドフラップが外側縁から内側縁に向かうにつれて上下方向長さが長くなるように形成されている請求項１〜１０のいずれか一項に記載のテープ型使い捨ておむつ。
【請求項１２】
前記サイドフラップとして右サイドフラップと左サイドフラップを有し、
前記右サイドフラップと前記左サイドフラップとが対称形状であるととともに、
前記右サイドフラップの上端縁の形状と前記左サイドフラップの下端縁の形状、及び前記右サイドフラップの下端縁の形状と前記左サイドフラップの上端縁の形状が相補的な形状に形成されているか、
又は前記右サイドフラップの上端縁の形状と前記左サイドフラップの上端縁の形状、及び前記右サイドフラップの下端縁の形状と前記左サイドフラップの下端縁の形状が相補的な形状に形成されている請求項１〜１１のいずれか一項に記載のテープ型使い捨ておむつ。
【発明の詳細な説明】
【技術分野】
【０００１】
本発明は、吸収体、トップシート、バックシート及び止着テープを備えたテープ型使い捨ておむつに関するものである。具体的には、着用者がうつ伏せ（腹這い）の状態でもおむつを容易に外すことができるテープ型使い捨ておむつに関するものである。
【背景技術】
【０００２】
一般に、テープ型使い捨ておむつは、前身頃、股下部及び後身頃の各部から構成され、少なくとも一部が液透過性材料からなるトップシートと液不透過性材料からなるバックシートの層間に吸収体が内包された構造を有し、後身頃の左右の各側縁から延出するように配置された、前身頃と後身頃とを固定するための止着テープを備えている。
【０００３】
このようなテープ型使い捨ておむつは、例えば止着テープの先端近傍にファスニング部材（メカニカルファスナーのフック材等）を備える一方、前身頃には前記ファスニング部材を係合し得るファスニング部材（ループ材等）からなるフロントパッチが付設されており、前記フロントパッチに対して、前記止着テープを止め付けることが可能なように構成されている。
【０００４】
ところで、前記のような構造のテープ型使い捨ておむつは、前身頃に付設されたフロントパッチに止着テープを止め付ける構造上、着用者を仰向けにしておむつを外す必要がある。しかし、乳幼児は月齢が高くなり活動が活発になってくると、仰向けに寝かされることを嫌がって寝返りを打ったり、ハイハイで逃げ回ったりするため、おむつを外すことが困難になるという問題があった。
【０００５】
このような問題に鑑みて、止着テープが付設された部位（通常、後身頃となる部分）を着用者の腹側に位置させてもおむつを装着することができ、着用者がうつ伏せの状態でも外すことが可能なおむつが提案されている（特許文献１〜３参照）。
【０００６】
また、止着テープの前後両端の各々にファスニング部材を付設し、着用者の腹側、背側の何れの側からでも止着テープを外すことを可能とした使い捨ておむつも提案されている（特許文献４参照）。
【先行技術文献】
【特許文献】
【０００７】
【特許文献１】特開２００４−０５７４１５号公報
【特許文献２】特開２００４−１０５６９８号公報
【特許文献３】特開２００４−２９０６４６号公報
【特許文献４】特開２００５−３０４６０５号公報
【発明の概要】
【発明が解決しようとする課題】
【０００８】
しかしながら、特許文献１〜３に記載のおむつは、着用者が仰向けの状態でおむつを装着した場合は着用者の腹側から、うつ伏せの状態でおむつを装着した場合には着用者の背側からしか、止着テープを外すことできず、状況に応じておむつを外す方法を選択することができないという問題があった。
【０００９】
また、特許文献４に記載の使い捨ておむつは、止着テープの前後両端の各々にファスニング部材が付設されており、前端側のファスニング部材は従前のおむつと同様に着用者の腹側に係合させ、後端側のファスニング部材についてはおむつのサイドフラップの部分、即ちウエストの側部に係合させるように構成されている。
【００１０】
しかしながら、このような構造であると、後端側のファスニング部材が係合されるウエストの側部は着用者の脚の動作によってよれ易く、皺が寄り易い部分であるために、止着テープが意図せず外れてしまう場合があるという問題があった。また、ウエストの側部に後側のファスニング部材が位置していると、うつ伏せ状態でおむつを外す場合に着用者の背側から止着テープを視認し難く、また、止着テープも摘み難い等、おむつを容易に外すことが困難であるという問題もあった。
【００１１】
本発明は、このような従来技術の問題点に鑑みてなされたものであって、仰向け、うつ伏せの双方の状態でおむつを容易に外すことができ、止着テープが意図せず外れてしまう事態を有効に防止することができるテープ型使い捨ておむつを提供するものである。
【課題を解決するための手段】
【００１２】
本発明者は、前記のような従来技術の課題を解決するために鋭意検討した結果、おむつの本体からサイドフラップの部分を分離可能な形態に構成することによって、上記課題が解決されることに想到し、本発明を完成させた。具体的には、本発明により、以下のテープ型使い捨ておむつが提供される。
【００１３】
［１］  前身頃、股下部及び後身頃の各部から構成され、少なくとも一部が液透過性材料からなるトップシートと液不透過性材料からなるバックシートの層間に吸収体が内包された構造を有するおむつ本体と、前記おむつ本体とは別部材として構成され、前記おむつ本体のうち後身頃の両側縁部に、前記おむつ本体の両側縁から更に外側に延出されるように配置された一対のサイドフラップと、前記サイドフラップの外側縁部に、前記サイドフラップの外側縁から更に外側に延出されるように接合された、少なくとも一対の止着テープと、を備え、前記サイドフラップが、前記おむつ本体の後身頃の外表面に弱接合されているテープ型使い捨ておむつ。
【００１４】
［２］  前記おむつ本体の両側縁部及び前記サイドフラップの内側縁部の少なくとも一方に、前記おむつ本体の両側縁部と前記サイドフラップの内側縁部とを係合可能なファスニング部材が接合されている前記［１］に記載のテープ型使い捨ておむつ。
【００１５】
［３］  前記サイドフラップは、前記おむつ本体の両側縁部に対して接合されて接合部が形成されるとともに、前記接合部の内側縁から前記サイドフラップの内側縁に至るまでの領域が内側自由端部、前記接合部の外側縁から前記サイドフラップの外側縁に至るまでの領域が外側自由端部となっており、前記内側自由端部又は前記外側自由端部のうち前記おむつ本体と重畳的に配置される部分に、前記ファスニング部材としてメカニカルファスナーのフック材が付設されている前記［２］に記載のテープ型使い捨ておむつ。
【００１６】
［４］  前記サイドフラップは、前記おむつ本体の両側縁部に対して接合されて接合部が形成されるとともに、前記接合部の内側縁から前記サイドフラップの内側縁に至るまでの領域が内側自由端部となっており、前記内側自由端部は、前記おむつ本体の幅方向中央に向かって凸となる凸部を少なくとも１箇所有する形状に形成されている前記［２］又は［３］に記載のテープ型使い捨ておむつ。
【００１７】
［５］  前記おむつ本体及び前記サイドフラップの少なくとも一方に、前記サイドフラップの内側縁の位置を示すマーキングが付されている前記［２］〜［４］のいずれかに記載のテープ型使い捨ておむつ。
【００１８】
［６］  前記サイドフラップは、前記おむつ本体の両側縁部に対して接合されて接合部が形成されるとともに、前記接合部の外側縁から前記サイドフラップの外側縁に至るまでの領域が外側自由端部となっており、前記外側自由端部のうち前記おむつ本体と重畳的に配置される部分に、前記ファスニング部材としてメカニカルファスナーのフック材が付設されており、前記外側自由端部の前記フック材の付設位置と前記接合部の外側縁との間の領域にサイドフラップ破断用の切り込み線が形成されている前記［２］に記載のテープ型使い捨ておむつ。
【００１９】
［７］  前記内側自由端部の上下方向中央部に、その軌跡が前記サイドフラップの内側縁に向かって凸となる形状に、サイドフラップ破断用の切り込み線が形成されており、前記外側自由端部における前記フック材の付設位置と前記接合部の外側縁との間の領域に、前記内側自由端部に形成された前記切り込み線と前記外側自由端部の上端及び下端とを繋ぐようにサイドフラップ破断用の切り込み線が形成されている前記［６］に記載のテープ型使い捨ておむつ。
【００２０】
［８］  前記サイドフラップに、前記切り込み線の位置を示すマーキングが付されている前記［６］又は［７］に記載のテープ型使い捨ておむつ。
【００２１】
［９］  前記おむつ本体の両側縁部に、前記フック材と係合可能なメカニカルファスナーのループ材が付設されている前記［３］〜［８］のいずれかに記載のテープ型使い捨ておむつ。
【００２２】
［１０］  前記サイドフラップが伸縮性素材によって構成されている前記［１］〜［９］のいずれかに記載のテープ型使い捨ておむつ。
【００２３】
［１１］  前記サイドフラップが外側縁から内側縁に向かうにつれて上下方向長さが長くなるように形成されている前記［１］〜［１０］のいずれかに記載のテープ型使い捨ておむつ。
【００２４】
［１２］  前記サイドフラップとして右サイドフラップと左サイドフラップを有し、前記右サイドフラップと前記左サイドフラップとが対称形状であるととともに、前記右サイドフラップの上端縁の形状と前記左サイドフラップの下端縁の形状、及び前記右サイドフラップの下端縁の形状と前記左サイドフラップの上端縁の形状が相補的な形状に形成されているか、又は前記右サイドフラップの上端縁の形状と前記左サイドフラップの上端縁の形状、及び前記右サイドフラップの下端縁の形状と前記左サイドフラップの下端縁の形状が相補的な形状に形成されている前記［１］〜［１１］のいずれかに記載のテープ型使い捨ておむつ。
【発明の効果】
【００２５】
本発明のテープ型使い捨ておむつは、仰向け、うつ伏せの双方の状態でおむつを容易に外すことができ、止着テープが意図せず外れてしまう事態を有効に防止することができる。
【図面の簡単な説明】
【００２６】
【図１Ａ】本発明のテープ型使い捨ておむつの一の実施形態を模式的に示す平面図であり、テープ型使い捨ておむつを着用者の肌に当接する面側から見た状態を示すものである。
【図１Ｂ】図１Ａに示すテープ型使い捨ておむつを模式的に示す裏面図であり、テープ型使い捨ておむつを外表面側から見た状態を示すものである。
【図１Ｃ】図１Ａに示すテープ型使い捨ておむつのＡ−Ａ’端面を模式的に示す端面図である。
【図１Ｄ】図１Ａに示すテープ型使い捨ておむつのＢ−Ｂ’端面を模式的に示す端面図である。
【図１Ｅ】図１Ａに示すテープ型使い捨ておむつのサイドフラップ近傍の部分を拡大して模式的に示す一部拡大図である。
【図２Ａ】本発明のテープ型使い捨ておむつの別の実施形態を模式的に示す平面図であり、テープ型使い捨ておむつを着用者の肌に当接する面側から見た状態を示すものである。
【図２Ｂ】図２Ａに示すテープ型使い捨ておむつを模式的に示す裏面図であり、テープ型使い捨ておむつを外表面側から見た状態を示すものである。
【図２Ｃ】図２Ａに示すテープ型使い捨ておむつのＡ−Ａ’端面を模式的に示す端面図である。
【図２Ｄ】図２Ａに示すテープ型使い捨ておむつのサイドフラップ近傍の部分を拡大して模式的に示す一部拡大図である。
【図２Ｅ】図２Ａに示すテープ型使い捨ておむつの使用方法を模式的に示すサイドフラップ近傍部分の一部拡大図である。
【図３Ａ】本発明のテープ型使い捨ておむつの更に別の実施形態を模式的に示す平面図であり、テープ型使い捨ておむつを着用者の肌に当接する面側から見た状態を示すものである。
【図３Ｂ】図３Ａに示すテープ型使い捨ておむつを模式的に示す裏面図であり、テープ型使い捨ておむつを外表面側から見た状態を示すものである。
【図３Ｃ】図３Ａに示すテープ型使い捨ておむつのＡ−Ａ’端面を模式的に示す端面図である。
【図３Ｄ】図３Ａに示すテープ型使い捨ておむつのサイドフラップ近傍の部分を拡大して模式的に示す一部拡大図である。
【図３Ｅ】図３Ａに示すテープ型使い捨ておむつの使用方法を模式的に示すサイドフラップ近傍部分の一部拡大図である。
【図４Ａ】本発明のテープ型使い捨ておむつのサイドフラップ部分を形成する方法の一の例を模式的に示す平面図である。
【図４Ｂ】本発明のテープ型使い捨ておむつのサイドフラップ部分を形成する方法の別の例を模式的に示す平面図である。
【発明を実施するための形態】
【００２７】
以下、本発明のテープ型使い捨ておむつを実施するための形態について、図面を参照しながら具体的に説明する。但し、本発明はその発明特定事項を備えるテープ型使い捨ておむつを広く包含するものであり、以下の実施形態に限定されるものではない。
【００２８】
なお、テープ型使い捨ておむつの構造を示す図１Ａ〜図１Ｄ、図２Ａ〜図２Ｃ及び図３Ａ〜図３Ｃの他、サイドフラップ近傍部分を一部拡大して示す図１Ｅ、図２Ｄ及び図３Ｄ、おむつの使用方法を示す図２Ｅ及び図３Ｅ、サイドフラップ部分の形成方法を示す図４Ａ及び図４Ｂも添付したので、そちらも適宜参照されたい。
【００２９】
［１］定義等：
「使い捨ておむつ」とは、前身頃、股下部及び後身頃の各部から構成され、少なくとも一部が液透過性材料からなるトップシートと液不透過性材料からなるバックシートの層間に吸収体が内包された構造を有し、着用者の腰周りを被包するように装着される吸収性物品を意味する。そして、「テープ型使い捨ておむつ」とは前記使い捨ておむつのうち、前身頃と後身頃とを止め付ける止着テープを備えたものを意味する。
【００３０】
「前身頃」とは、図１Ａに示すテープ型使い捨ておむつ１Ａのように、着用者におむつを装着した際に、着用者の腹側（身体前方）を覆う部分（図中、符号２）、「股下部」とは、着用者におむつを装着した際に、着用者の股下を覆う部分（図中、符号４）、「後身頃」とは、着用者におむつを装着した際に、着用者の背側（身体後方）を覆う部分を意味するものとする（図中、符号６）。
【００３１】
［２］本発明のテープ型使い捨ておむつの特徴：
本発明のテープ型使い捨ておむつは、図１Ａ〜図１Ｄに示すテープ型使い捨ておむつ１Ａのように、トップシート１８とバックシート２０の層間に吸収体２２が内包された構造を有するおむつ本体５０と、おむつ本体５０とは別部材として構成され、おむつ本体５０のうち後身頃６の両側縁部に、おむつ本体５０の両側縁５０ａ，５０ｂから更に外側に延出されるように配置された一対のサイドフラップ５６，５８と、サイドフラップ５６，５８の外側縁部に、サイドフラップ５６，５８の外側縁５６ｂ，５８ｂから更に外側に延出されるように接合された、少なくとも一対の止着テープ６０，６２と、を備え、サイドフラップ５６，５８が、おむつ本体５０の後身頃６の外表面に弱接合されているものである。
【００３２】
このような構成では、着用者が仰向けの状態の場合は従来のテープ型使い捨ておむつと同様に、止着テープ６０，６２を腹側から外しておむつを外すことができる。また、サイドフラップ５６，５８がおむつ本体５０とは別部材として構成され、弱い力でも剥離可能な接合力でおむつの後身頃の外表面に接合されているため、着用者がうつ伏せの状態の場合は着用者の背側からおむつ本体５０からサイドフラップ５６，５８を剥離させておむつを外すこともできる。従って、着用者が仰向けの状態でおむつを装着した場合でも、腹側・背側の何れの方向からもおむつを外すことができ、状況に応じておむつを外す方法を選択することが可能である。
【００３３】
また、止着テープ６０，６２はサイドフラップ５６，５８に対して接合されており、その先端部を前身頃２に対して止め付ける形態である。従って、特許文献４に記載の使い捨ておむつとは異なり、止着テープ６０，６２のファスニング部分（フック材６４，６６）がウエストの側部（着用者の脚の動作によってよれたり、皺が寄り易い部分）に配置されていない。即ち、止着テープが意図せず外れてしまう事態を有効に防止することができる。
【００３４】
更に、このような構成では、着用者の腹側、股下及び背側はおむつ本体５０によって被包され、着用者のウエスト側部はサイドフラップ５６，５８によって被包される。従って、サイドフラップ５６，５８はおむつ本体５０の背側（後身頃）に接合されることになる。即ち、着用者がうつ伏せ状態でもサイドフラップ５６，５８とおむつ本体５０の継ぎ目を視認し易く、容易におむつを外すことができる。
【００３５】
［２−１］おむつ本体：
本発明のテープ型使い捨ておむつは、図１Ａ〜図１Ｄに示すテープ型使い捨ておむつ１Ａのように、少なくとも一部が液透過性材料からなるトップシート１８と液不透過性材料からなるバックシート２０の層間に吸収体２２が内包された構造を有するおむつ本体５０を備える。
【００３６】
本発明のテープ型使い捨ておむつにおいては、おむつの本来的な機能である吸収・保持機能を果たす部材と、着用者のウエスト側部を被包するサイドフラップが別部材として構成される。従って、おむつの本来的な機能である吸収・保持機能を果たす部材を「おむつ本体」と称することにする。
【００３７】
「おむつ本体」は、少なくとも吸収体、トップシート及びバックシートを備える部材であり、トップシート１８と液不透過性材料からなるバックシート２０の層間に吸収体２２が内包された構造を有している。即ち、おむつの外表面側から着用者の肌と接触する面側に向かって、バックシート、吸収体、トップシートの順で各部材が順次積層された構造となっている。吸収体、トップシート及びバックシートについては従前の吸収性物品で使用されているものを用いればよい。これらの部材の具体的な構成については後に説明する。
【００３８】
「おむつ本体」は、着用者のウエスト側部を被包するサイドフラップ部分を持たないため、いわゆる尿パッドに準じて製造することができる。図１Ａ及び図１Ｂに示すテープ型使い捨ておむつ１Ａはおむつ本体５０を矩形状に形成した例であるが、おむつ本体の形状・サイズは特に限定されない。例えば、矩形状をベースとし、前身頃及び後身頃より股下部を幅狭く形成したもの等であってもよい。
【００３９】
おむつ本体は前後に対称な形状とすることが好ましい。これにより着用者がうつ伏せの状態でも着用者の背側から容易におむつを装着することができる。図１Ａ及び図１Ｂに示すテープ型使い捨ておむつ１Ａの場合であれば、後身頃６を着用者の腹側に、前身頃２を着用者の腹側に宛がうように使用する。こうすることにより、止着テープ６０，６２を着用者の背側でフロントパッチ１３に止め付けることができ、着用者の背側からでも容易におむつを装着することが可能となる。また、着用者の背側からおむつを装着させた場合でも着用者の腹側からサイドフラップを分離することでおむつを外すこともできる。
【００４０】
［２−２］サイドフラップ：
本発明のテープ型使い捨ておむつは、図１Ａ〜図１Ｃに示すテープ型使い捨ておむつ１Ａのように、おむつ本体５０とは別部材として構成され、おむつ本体５０のうち後身頃６の外表面における両側縁部に、おむつ本体５０の両側縁５０ａ，５０ｂから更に外側に延出されるように弱接合された一対のサイドフラップ５６，５８を備える。
【００４１】
従来のテープ型使い捨ておむつは、１）おむつ本体を構成するサイドシートやバックシート（又はその表面に配置されるカバーシート）等の一部によってサイドフラップが形成され、おむつ本体とサイドフラップが分離不能な形態で構成されている、又は、２）おむつ本体とサイドフラップとが別体のシートで形成されている場合であっても、サイドフラップを構成するシートがおむつ本体のサイドシート等と、バックシート（又はカバーシート）等との層間に挟み込まれた状態で接合され、おむつ本体とサイドフラップが分離困難な形態で構成されている、ことが一般的であった。
【００４２】
前記従来の形態では、おむつの本体部分からサイドフラップを分離しようとすると極めて大きな力が必要であり、簡便にサイドフラップを分離できないことに加え、サイドフラップを破断する際に着用者の腹周りを締め付けることになり、着用者に無用の負担を掛けることにも繋がり好ましくない。
【００４３】
これに対し、本発明のテープ型使い捨ておむつは、着用者がうつ伏せ状態でもおむつを外せるように、サイドフラップをおむつ本体とは別部材として構成し（即ち、別体のシートとして構成し）、サイドフラップをおむつ本体と容易に分離可能な形態としている。
【００４４】
また、前記従来の形態では、極めて大きな力を加えなければサイドフラップを分離することができないため、仮にサイドフラップを分離できたとしてもおむつ本体やサイドフラップが破損する可能性が高い。従って、おむつの汚れが軽微でおむつを再度利用したい場合でもおむつの機能に支障を来したり、おむつの外観（見栄え）が損なわれたりするため再利用が困難であった。
【００４５】
これに対し、本発明のテープ型使い捨ておむつはサイドフラップをおむつ本体と容易に分離可能な形態としているため、おむつ本体やサイドフラップを破損させることなく、元の形状を維持したままサイドフラップを分離することができる。従って、おむつの機能に支障を来したり、おむつの外観（見栄え）が損なわれたりすることが極めて少ない。
【００４６】
本発明のテープ型使い捨ておむつは、図１Ａ〜図１Ｄに示すテープ型使い捨ておむつ１Ａのように、おむつ本体５０とサイドフラップ５６，５８とが弱接合されている（接合部６８，７０）。
【００４７】
「弱接合」とは、人間の手で力を加えた際に初めて剥離できる程度の強度で接合されていることを意味する。より具体的には、２５ｍｍ幅、引張速度２００ｍｍ／分、１８０°ピールの条件下で測定した剥離強度が０．１〜６Ｎ／２５ｍｍであることが好ましい。
【００４８】
接合の方法は特に限定されず、従来公知の接合方法、例えば熱融着（ヒートシール）、超音波融着、接着剤による接着等を採用することができる。剥離強度の調整は、熱融着であれば融着温度、圧力、クリアランス等によって、超音波融着の場合は超音波振動の周波数、クリアランス、増幅率等によって、接着剤による接着の場合は接着剤の種類や塗布量、塗布方法等により適宜調整することができる。なお、塗布方法としてはシム塗工のような接触方式の塗布方法の他、カーテン塗工、スパイラル塗工、ビード塗工或いはＣＳガンによる塗工等の非接触方式の塗布方法等を挙げることができる。この中でも、接着剤を間欠的に塗布することが容易なシム塗工が好ましい。
【００４９】
接合部は、図１Ｂに示す接合部６８，７０のようにサイドフラップ５６，５８の前後方向に向かって間欠的に形成することが好ましい。具体的には、直線状又は散点状の接合部を間欠的に形成する形態を挙げることができる。このように接合部を間欠的に形成すると、連続的に形成した場合と比較しておむつ本体からサイドフラップを更に容易に剥離することができる。従って、おむつの機能に支障を来したり、おむつの外観（見栄え）が損なわれたりすることが一層少なくなる点において好ましい。
【００５０】
散点状の接合部としては、矩形、多角形、円形、楕円形、曲線、幾何学模様等の形状、又はキャラクターや動物のシルエット等を単独で、又は適宜組み合わせて用いることができる。勿論、これら以外の形状を採用してもよい。前記散点状の接合部は例えば一定の間隔で行列状等に配置すればよい。
【００５１】
また、サイドフラップの剥離を容易にするために、サイドフラップの左右方向に向かう直線状の接合部を複数箇所形成することも好ましい。このような形態はサイドフラップの上下方向に向かう直線状の接合部と比較してサイドフラップの剥離が容易となる。サイドフラップの左右方向に向かう直線状の接合部を複数箇所形成する場合には、各々の接合部を±４５°以内の角度に傾斜させて（即ち斜め方向に）形成してもよい。剥離の際に力が作用する方向と接合部の形成方向を合致させることでサイドフラップの剥離を容易にすることができる。
【００５２】
本発明のテープ型使い捨ておむつは、図１Ｂ及び図１Ｃに示すテープ型使い捨ておむつ１Ａのように、サイドフラップ５６，５８がおむつ本体５０のうち後身頃６の外表面における両側縁部に弱接合されている（接合部６８，７０）。
【００５３】
「外表面」とは、装着時に外部に露出する側の面、即ち、着用者の肌に接触する側の面と背向する面を意味する。おむつ本体の「側縁部」とは、おむつ本体の後身頃側の端部（後端部）の幅を基準とし、その中央部６０％幅でおむつの前後方向に平行線を引いた場合に、その平行線より外側の部分を意味する（一方、平行線で挟まれた部分を「幅方向中央部」と記す場合がある。）。即ち、おむつ本体の「幅方向中央部」を除外した、左右両側縁から「幅方向中央部」に至るまでの左右各２０％幅の部分である。この定義は、おむつ本体が矩形状以外の形状の場合にも適用される。
【００５４】
本発明のテープ型使い捨ておむつは、図１Ｅに示すように、おむつ本体５０の両側縁部に対して接合されて接合部７０が形成されるとともに、接合部７０の内側縁７０ａからサイドフラップの内側縁５８ａに至るまでの領域が内側自由端部７４となっており、内側自由端部７４は、おむつ本体５０の幅方向中央に向かって凸となる凸部７８を少なくとも１箇所有する形状に形成されていることが好ましい。
【００５５】
本発明のテープ型使い捨ておむつは、サイドフラップの内側縁がおむつの前後方向に向かって直線的に形成されていてもよい（例えば、図３Ｂに示すテープ型使い捨ておむつ１Ｃを参照）。但し、前記のように内側自由端部７４が、おむつ本体５０の幅方向中央に向かって凸となる凸部７８を有していると、その凸部７８がサイドフラップ５８をおむつ本体５０から引き剥がす際にタブとして機能する。即ち、凸部７８を摘んでサイドフラップ５８を引き剥がすことで、極めて容易におむつを外すことができる。
【００５６】
凸部の形状は特に限定されないが、例えば半円状、台形状、矩形状等の形状を挙げることができる。タブとして機能させる観点から凸部の高さ（サイドフラップの左右方向の長さ）は、５〜３０ｍｍとすることが好ましい。
【００５７】
凸部は少なくとも１箇所形成されていればよい。但し、着用者の体位等、状況に応じてサイドフラップを摘む場所を選択可能とする観点から、凸部が複数箇所形成されているものも好ましい。例えば、図１Ｅに示すように、サイドフラップ５８の内側縁５８ａを波型に形成したものも好ましい。図示の例では５箇所の凸部７８が形成されている。「波型」には、サインカーブのような曲線的なものは勿論のこと、台形状の凸部が複数形成されたような直線的なものも含むものとする。
【００５８】
本発明のテープ型使い捨ておむつは、図２Ａ〜図２Ｃに示すテープ型使い捨ておむつ１Ｂのように、おむつ本体５０の両側縁部及びサイドフラップ５６，５８の内側縁部の少なくとも一方に、おむつ本体５０の両側縁部とサイドフラップ５６，５８の内側縁部とを係合可能なファスニング部材８０，８２が接合されていることが好ましい。
【００５９】
図２Ｅに示すようにファスニング部材８０，８２を接合しておくことにより、ファスニング部材８０，８２を再度係合させることにより、おむつを再装着することが可能となる。このような形態は、おむつを背側から外せるのみならず、サイドフラップ５８を一旦剥離しておむつ内部の状態を確認した後、着用者が排泄をしていない場合（例えば、着用者が放屁をしただけで排便をしていない場合等）には、おむつを再装着することができる利点がある。
【００６０】
また、前記の形態は止着テープ６０，６２をフロントパッチ１３に予め止め付けておき、サイドフラップのファスニング部材８０，８２を使っておむつを装着させることもできる。このような方法は、着用者がうつ伏せの状態でも着用者の背側から容易におむつを装着することができる。更に、前記の形態はファスニング部材をいわゆる廃棄テープとして利用することもできる。即ち、使用済みのおむつを汚れた面を内側にして丸め込み、その状態でファスニング部材をおむつ本体等に止め付けることで汚れた部分を内側に封じ込めた状態でおむつを廃棄することができる。
【００６１】
「ファスニング部材」としては、粘着ファスナー、メカニカルファスナー等を挙げることができる。中でも、係合力が高く、繰り返し脱着しても係合力が低下しない点でメカニカルファスナーが好ましい。
【００６２】
なお、「少なくとも一方」としたのは、例えばメカニカルファスナーのフック材が接合されていれば、おむつを構成する不織布等の素材に対して直接係合させることも可能だからである。即ち、フック材を係合させるループ材を有しないものも本発明の範囲に含まれる。
【００６３】
本発明のテープ型使い捨ておむつは、図２Ｄに示すように、サイドフラップ５８が、おむつ本体５０の両側縁部に対して接合されて接合部７０が形成されるとともに、接合部７０の内側縁７０ａからサイドフラップ５８の内側縁５８ａに至るまでの領域が内側自由端部７４、接合部７０の外側縁７０ｂからサイドフラップ５８の外側縁５８ｂに至るまでの領域が外側自由端部８６となっており、内側自由端部７４又は外側自由端部８６のうちおむつ本体５０と重畳的に配置される部分に、ファスニング部材８２としてメカニカルファスナーのフック材９０が付設されていることが好ましい。
【００６４】
フック材９０は、サイドフラップ５８のうち接合部７０の内側（即ち内側自由端部７４）に付設しても、接合部７０の外側（即ち外側自由端部８６）に付設してもよい。但し、おむつの装着状態において着用者の肌に多数の凸部を有するフック材９０が接触すると着用感が損なわれるおそれがある。従って、内側自由端部７４か、外側自由端部８６のうち、おむつ本体５０と重畳的に配置される部分にフック材９０を付設することが好ましい。図２Ｄに示す例では、サイドフラップ５８の内側自由端部７４にフック材９０を付設している。
【００６５】
既に述べたように、本発明のテープ型使い捨ておむつは、必ずしもフック材と係合させるループ材を有している必要はない。不織布にはループ材と同様にフック材に対する係合力を有するものも存在するので、例えばカバーシートの素材としてそのような不織布を用いる場合であればループ材は不要である。但し、フック材の係合を強固かつ確実なものとするため、図２Ａ〜図２Ｃに示すテープ型使い捨ておむつ１Ｂのように、おむつ本体５０の両側縁部に、フック材８８，９０と係合可能なメカニカルファスナーのループ材９２，９４が付設されていることが好ましい。
【００６６】
図１Ａ〜図１Ｃに示すテープ型使い捨ておむつ１Ａ及び図２Ａ〜図２Ｃに示すテープ型使い捨ておむつ１Ｂはサイドフラップ５６，５８全体をおむつ本体５０から剥離させて分離する形態のものである。但し、本発明のテープ型使い捨ておむつにおいては必ずしもサイドフラップ全体をおむつ本体から剥離させて分離する必要はない。
【００６７】
例えば、予めサイドフラップにミシン目等の切り込み線を形成しておき、サイドフラップの一部がおむつ本体に接合された状態のまま、サイドフラップを破断しておむつ本体から分離させることもできる。このような形態はおむつ本体との接合部を剥離させてサイドフラップを分離させる形態と比較すると、より少ない力で容易にサイドフラップを分離しておむつを外すことができる点において好ましい。
【００６８】
即ち、本発明のテープ型使い捨ておむつは、サイドフラップは、おむつ本体の両側縁部に対して接合されて接合部が形成されるとともに、接合部の外側縁からサイドフラップの外側縁に至るまでの領域が外側自由端部となっており、外側自由端部のうちおむつ本体と重畳的に配置される部分に、ファスニング部材としてメカニカルファスナーのフック材が付設されており、外側自由端部のフック材の付設位置と接合部の外側縁との間の領域にサイドフラップ破断用の切り込み線が形成されていることが好ましい。
【００６９】
例えば、図２Ａ〜図２Ｃに示すテープ型使い捨ておむつ１Ｂのように、接合部６８，７０とフック材８８，９０の双方がサイドフラップ５６，５８の上下方向に向かう直線状に配置されている場合、接合部６８，７０とフック材８８，９０の間に直線状の軌跡を描く切り込み線を形成すればよい。このような構成とすれば接合部６８，７０を剥離させることなくサイドフラップ５６，５８を破断することができる。即ち、この形態においてはサイドフラップ５６，５８をおむつ本体の外表面に弱接合せず強固に接合してもサイドフラップ５６，５８をおむつ本体５０から分離させることができる。
【００７０】
また、本発明のテープ型使い捨ておむつは、図３Ｂに示すテープ型使い捨ておむつ１Ｃのように、サイドフラップ５６，５８にサイドフラップ破断用の切り込み線９６，９８が形成されていることが好ましい。具体的には、図３Ｄに示すように、サイドフラップ５８の内側自由端部７４の上下方向中央部に、その軌跡がサイドフラップ５８の内側縁５８ａに向かって凸となる形状に、サイドフラップ破断用の切り込み線９８が形成されており、外側自由端部８６におけるフック材９０の付設位置と接合部７０の外側縁７０ｂとの間の領域に、内側自由端部に形成された切り込み線９８と外側自由端部８６の上端１０４及び下端１０８とを繋ぐようにサイドフラップ破断用の切り込み線９８が形成されていることが更に好ましい。
【００７１】
前記のような構成により、図３Ｅに示すようにサイドフラップ５８の破断部に凸部１００が形成される。この凸部１００は、図１Ｅに示すサイドフラップ５８に形成された凸部７８、図２Ｄに示すサイドフラップ５８に形成された凸部７８と同様に、サイドフラップを摘むためのタブとして機能する。また、図３Ｄの例で説明すると、内側自由端部７４の凸部１００以外の部分（例えばサイドフラップ５８の上端部等）を指で押さえながらサイドフラップ５８を破断することで、サイドフラップ５８の破断がより容易なものとなる。
【００７２】
凸部の形状・サイズは特に限定されるものではない。図１Ｅ又は図２Ｄに示すようなサイドフラップ５８の内側縁に形成する凸部７８と同様に形成すればよい。
【００７３】
「切り込み線」としては、例えばミシン目又はミシン目より長い直線状若しくは曲線状のスリット等を挙げることができる。「軌跡」とは、個々の切り込み線の形状を指すのではなく、複数の切り込み線を繋げることによって描かれる図形を意味する。
【００７４】
また、「上下方向中央部」とは、サイドフラップの上下方向長さが最も長い部分を基準とし、その中央部１／３幅でサイドフラップの左右方向に平行線を引いた場合に、その平行線で挟まれた部分を意味する（一方、平行線より外側の部分を「上端部」、「下端部」と記す場合がある。）。
【００７５】
本発明のテープ型使い捨ておむつは、サイドフラップが伸縮性素材によって構成されていることが好ましい。このような構成はおむつの腰回りへのフィット性が向上するため、着用感が良好になることに加え、ウエスト側端部からの漏れを有効に防止することができる点において好ましい。
【００７６】
「伸縮性素材」としては、複数枚の不織布シートの層間に伸張状態の糸ゴムや平ゴムを挟み込み固定したもの等を好適に用いることができる。例えば、エラスチック不織布、エラストマースパンボンド不織布等を好適に用いることができる。より具体的には、以下全て商品名で「ストラフレックス（出光ユニテック社製）」、「エスパンシオーネ（カネボウ社製）」、「エラクス（ＧＰＦ社製）」等を好適に用いることができる。
【００７７】
本発明のテープ型使い捨ておむつは、図１Ａ及び図１Ｂに示すテープ型使い捨ておむつ１Ａのように、サイドフラップ５６，５８が外側縁５６ｂ，５８ｂから内側縁５６ａ，５８ａに向かうにつれて上下方向長さが長くなるように形成されていることが好ましい。
【００７８】
前記のような構成は、おむつの装着時において、おむつ本体の後身頃をその両側縁側から幅広いサイドフラップによって引っ張ることができ、広範囲で着用者の腰周りを包み込むことができる。従って、おむつのフィット性を向上させることができる。また、おむつの装着後において、おむつ本体がずれ難い点においても好ましい。
【００７９】
本発明のテープ型使い捨ておむつは、サイドフラップとして右サイドフラップと左サイドフラップを有し、右サイドフラップと左サイドフラップとが対称形状であるととともに、右サイドフラップの上端縁の形状と左サイドフラップの下端縁の形状、及び右サイドフラップの下端縁の形状と左サイドフラップの上端縁の形状が相補的な形状に形成されているか、又は右サイドフラップの上端縁の形状と左サイドフラップの上端縁の形状、及び右サイドフラップの下端縁の形状と左サイドフラップの下端縁の形状が相補的な形状に形成されていることが好ましい。
【００８０】
前記構成とすることにより、１枚の原料シートからトリム片を発生させることなく複数のサイドフラップを形成することができるという利点がある。例えば、図４Ａに示す製造方法は、１枚の原料シート１１０を切断することで（切断線１１２）、対称な等脚台形状の右サイドフラップ１１４及び左サイドフラップ１１６を形成した例である。ここにいう「対称」とは左右対称の意味である。
【００８１】
但し、図４Ａに示す例では、右サイドフラップ１１４と左サイドフラップ１１６が左右対称であることに加え、上下にも対称な形状となる。従って、１）右サイドフラップ１１４の上端縁の形状と左サイドフラップ１１６の下端縁の形状、及び右サイドフラップ１１４の下端縁の形状と左サイドフラップ１１６の上端縁の形状が相補的な形状に形成されているとも言えるし、２）右サイドフラップ１１４の上端縁の形状と左サイドフラップ１１６の上端縁の形状、及び右サイドフラップ１１４の下端縁の形状と左サイドフラップ１１６の下端縁の形状が相補的な形状に形成されているとも言える。
【００８２】
一方、図４Ｂに示す製造方法は、１枚の原料シート１１８を切断することで（切断線１２０）、一方の底角が９０°である台形状の右サイドフラップ１２２及び左サイドフラップ１２４を形成した例である。図４Ｂに示す例では、右サイドフラップ１２２の上端縁１２２ａの形状と左サイドフラップ１２４の上端縁１２４ａの形状、及び右サイドフラップ１２２の下端縁１２２ｂの形状と左サイドフラップ１２４の下端縁１２４ｂの形状が相補的な形状に形成されている。
【００８３】
なお、本発明のテープ型使い捨ておむつは、図１Ａ及び図１Ｂに示すテープ型使い捨ておむつ１Ａのように、前身頃２側にサイドフラップ１２６，１２８を有していてもよい。このような構成は、前身頃２側のサイドフラップ１２６，１２８を摘んで体側方向に引っ張ることができるため、前身頃２を伸展させた状態で着用者の腹部に当接させ易く、おむつの装着時にフロントパッチ１３に皺が形成され難い。即ち、その伸展させた前身頃２のフロントに対してサイドフラップ１２６，１２８を重ね合わせるようにして、フロントパッチ１３に対してと止着テープ６０，６２とを止め付ければフック材６４，６６とループ材４６を容易かつ確実に係合することができる。
【００８４】
なお、前身頃側のサイドフラップは後身頃側のサイドフラップとは異なり、おむつ本体から容易に分離可能な形態とする必要はない。図１Ａ及び図１Ｂに示す例では、前身頃２側のサイドフラップ１２６，１２８はサイドシート１９とカバーシート２４の層間に挟み込まれるように接合されており、おむつ本体５０から容易には剥離・破断することができないように接合されている。
【００８５】
［２−３］マーキング：
本発明のテープ型使い捨ておむつは、おむつ本体及びサイドフラップの少なくとも一方に、サイドフラップの内側縁の位置を示すマーキングが付されていることが好ましい。
【００８６】
ここにいう「マーキング」には、文字、図形、記号、着色等、サイドフラップの内側縁の位置を示すことができる全ての表示が含まれる。
【００８７】
前記形態は図１Ａ〜図１Ｃに示すテープ型使い捨ておむつ１Ａや図２Ａ〜図２Ｃに示すテープ型使い捨ておむつ１Ｂのように、サイドフラップ５６，５８に切り込み線が形成されておらず、サイドフラップ５６，５８全体をおむつ本体から剥離する形態において有効である。即ち、サイドフラップ５６，５８を剥離する際にその内側縁５６ａ，５８ａの位置を視認させることでサイドフラップ５６，５８の剥離を容易なものとすることができる。
【００８８】
この形態における「マーキング」としては、サイドフラップの内側縁から外側の部分への着色、サイドフラップの内側縁近傍に接合されたフック材への着色、「ここを剥がす」等の文字、サイドフラップの内側縁の位置を示す矢印等を挙げることができる。これらのマーキングはサイドフラップの内側縁の位置を示すことができる限りにおいて、おむつ本体に施してもよい。
【００８９】
また、本発明のテープ型使い捨ておむつは、サイドフラップに、切り込み線の位置を示すマーキングが付されていることも好ましい。
【００９０】
前記形態は図３Ａ〜図３Ｃに示すテープ型使い捨ておむつ１Ｃのように、サイドフラップ５６，５８に切り込み線９６，９８が形成されており、サイドフラップ５６，５８を破断しておむつ本体から分離する形態において有効である。即ち、サイドフラップ５６，５８を破断する際にその切り込み線９６，９８の位置を視認させることでサイドフラップ５６，５８の剥離を容易なものとすることができる。
【００９１】
この形態における「マーキング」としては、サイドフラップの切り込み線から外側の部分への着色、サイドフラップの切り込み線近傍に接合されたフック材への着色、「ここを破る」等の文字、サイドフラップの切り込み線の位置を示す矢印等を挙げることができる。
【００９２】
［２−４］止着テープ：
本発明のテープ型使い捨ておむつは、図１Ａ〜図１Ｃに示すテープ型使い捨ておむつ１Ａのように、サイドフラップ５６，５８の外側縁部に、サイドフラップ５６，５８の外側縁５６ｂ，５８ｂから更に外側に延出されるように接合された（接合部５２，５４）、少なくとも一対の止着テープ６０，６２を備えている。本発明においては、サイドフラップ対して接合されていることを除き、止着テープ自体の構成は従前のテープ型使い捨ておむつと同様である。止着テープの具体的な構成については後に説明する。
【００９３】
［３］テープ型使い捨ておむつの構成部材：
本発明のテープ型使い捨ておむつのおむつ本体は、図１Ａ〜図１Ｄに示すテープ型使い捨ておむつ１Ａのように、少なくとも一部が液透過性材料からなるトップシート１８と液不透過性材料からなるバックシート２０の層間に吸収体２２が内包された構造を有するものである（おむつ本体５０）。
【００９４】
［３−１］吸収体：
「吸収体」は、着用者の尿等を吸収し、保持するための部材であり、吸収性材料によって構成される。
【００９５】
「吸収性材料」としては、例えば、フラッフパルプ、高吸水性ポリマー（Ｓｕｐｅｒ  
Ａｂｓｏｒｂｅｎｔ  Ｐｏｌｙｍｅｒ；以下、「ＳＡＰ」と記す。）、親水性シート等を挙げることができる。「フラッフパルプ」としては、木材パルプや非木材パルプを綿状に解繊したものを、「ＳＡＰ」としては、ポリアクリル酸ナトリウムを、「親水性シート」としては、ティシュ、吸収紙、親水化処理を行った不織布等を用いることが好ましい。
【００９６】
吸収体は、１種又は２種以上の吸収性材料を単層又は複層のマット状に成形したものを用いることが好ましい。中でも、フラッフパルプ１００質量部に対して、１０〜５００質量部のＳＡＰを併用したものが好ましい。この際、ＳＡＰはフラッフパルプのマット中に混在させるか、フラッフパルプのマットの層間に層状に配置して用いればよい。
【００９７】
吸収体は、図１Ａに示すような矩形状の吸収体２２に限られず、砂時計型、ひょうたん型、Ｔ字型等、所望の形状に成形して用いることができる。吸収体は、ＳＡＰの脱落を防止し、形状安定性を付与するという目的から、親水性シートによって被包されていることが好ましい。
【００９８】
［３−２］トップシート：
トップシートは、着用者の尿等を透過させる必要から、その少なくとも一部（全部又は一部）が液透過性材料により構成される。
【００９９】
「液透過性材料」としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【０１００】
「不織布」としては、エアースルー（カード熱風）、カードエンボス等の製法によって製造された不織布を好適に用いることができる。「親水化処理」は、界面活性剤を塗布、スプレー、含浸等させることにより行うことができる。
【０１０１】
トップシートは、「少なくとも一部」、具体的には、トップシートを平面的に見た場合に、少なくとも吸収体の表面近傍は液透過性材料により構成されていることが好ましい。
【０１０２】
なお、吸収性物品の着用者の肌側に位置するシートが全てトップシートによって構成されている必要はない。即ち、着用者の肌と接するシートが、トップシートを含む複数のシートによって構成され、トップシートと他のシートがシートの表面方向に向かって継ぎ合わされたような構造となっていてもよい。
【０１０３】
例えば、図１Ａ、図１Ｃ及び図１Ｄに示すテープ型使い捨ておむつ１Ａは、おむつの幅方向中央部には液透過性材料からなるトップシート１８を配置し、おむつのサイドフラップ部分には液の透過に対して抵抗性を示す撥水性シート３２からなるサイドシート１９を配置した例である。撥水性シートとしては、カードエンボス、スパンボンド等の製法により製造された不織布であってもよいが、防水性の高いＳＭＳ、ＳＭＭＳ等の不織布シートが更に好ましい。
【０１０４】
［３−３］バックシート：
バックシートは、吸収体の裏面（おむつの装着時において着用者の肌から遠い側に位置する面）を被覆するように配置されるシートである。バックシートは、着用者の尿がおむつ外部に漏洩してしまうことを防止する必要から、液不透過性材料によって構成される。
【０１０５】
バックシートの配置位置については特に制限はない。吸収体で吸収された尿の漏れを防止するという観点から、少なくとも吸収体の存在する部分にバックシートが配置されていることが好ましい。
【０１０６】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【０１０７】
なお、図１Ｂ〜図１Ｄに示すように、バックシート２０の外表面側にカバーシート２４を貼り合わせてもよい。このカバーシートは、バックシートを補強し、バックシートの手触り（触感）を良好なものとするために用いられる。
【０１０８】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【０１０９】
［３−４］立体ギャザー：
本発明のテープ型使い捨ておむつは、図１Ａ及び図１Ｄに示すテープ型使い捨ておむつ１Ａのように、サイドシート１９と一体的に構成された撥水性シート３２からなり、吸収体２２の両側に配置された左右一対の立体ギャザー２６（２６ａ，２６ｂ）を備えていることが好ましい。但し、立体ギャザー用の撥水性シートを別途付設してもよい。
【０１１０】
立体ギャザーの構成は、従来の使い捨ておむつ、その他の吸収性物品に使用される構成を採用することができる。例えば、図１Ｄに示すように、撥水性シート３２の層間に立体ギャザー伸縮材３６を挟み込んで固定し、その立体ギャザー伸縮材３６の収縮力によってギャザー（襞）を形成したもの等を好適に用いることができる。
【０１１１】
撥水性シートは、カードエンボス、スパンボンド等の製法により製造された不織布であってもよいが、防水性の高いＳＭＳ、ＳＭＭＳ等の不織布シートが更に好ましい。
【０１１２】
［３−５］止着テープ：
本発明のテープ型使い捨ておむつは、図１Ａ〜図１Ｃに示すテープ型使い捨ておむつ１Ａのように、サイドフラップ５６，５８の外側縁部に、サイドフラップ５６，５８の外側縁５６ｂ，５８ｂから更に外側に延出されるように接合された、少なくとも一対の止着テープ６０，６２を備える。
【０１１３】
止着テープのファスニング部材としては、粘着剤により固定を行う粘着ファスナーであってもよいが、機械的な結合により固定を行うメカニカルファスナー（面状ファスナー）を用いることが好ましい。メカニカルファスナーは、止着力が高いことに加え、複数回の脱着を行っても止着力が低下することがないという利点がある。
【０１１４】
例えば、図１Ａ〜図ＣＤに示すテープ型使い捨ておむつ１Ａは、ファスニング部材として、メカニカルファスナーを用いた例である。止着テープ６０，６２の先端近傍には、フック材８８，９０が付設される一方、前身頃２には、ループ材４６からなるフロントパッチ１３が付設されており、フロントパッチ１３に対して、止着テープ６０，６２を止め付けることが可能なように構成されている。
【０１１５】
止着テープの数は特に限定されず、着用者の体型（具体的には、ウエスト周り、脚周り等）の寸法に合わせて、適当な数の止着テープを付設すればよい。一般的には、乳幼児用の使い捨ておむつであれば一対（左右１個ずつ）、成人用の使い捨ておむつであれば二対（左右２個ずつ）が付設される。
【０１１６】
［３−６］各種伸縮材：
本発明のテープ型使い捨ておむつは、脚周り伸縮材、ウエスト周り伸縮材等の伸縮材を伸張状態で配置することが好ましい。これにより、脚周りやウエスト周りからの尿漏れを効果的に防止することができる。また、着用者へのおむつのフィット性が良好となる。
【０１１７】
脚周り伸縮材は、おむつの側縁部、特に股下部の側縁部に沿って配置される伸縮材である。図１Ａ、図１Ｂ及び図１Ｄに示すテープ型使い捨ておむつ１Ａにおいては、吸収体２２の側縁に沿って、直線的に左右３本ずつの脚周り伸縮材４０が配置されている。
【０１１８】
ウエスト周り伸縮材は、ウエスト周り、即ちおむつの前身頃の端縁又は後身頃の端縁に沿って配置される伸縮材である。
【０１１９】
図１Ａ及び図１Ｂに示すテープ型使い捨ておむつ１Ａは、おむつの前身頃２の端縁及び後身頃６の端縁に沿って帯状のウエスト周り伸縮材４２を配置した例である。この帯状のウエスト周り伸縮材４２は、ウレタンフォーム等の伸縮性フォームによって構成されている。図示の例では、前身頃２と後身頃６の双方にウエスト周り伸縮材４２を配置しているが、後身頃（背側）のみにウエスト周り伸縮材を配置してもよい。
【０１２０】
伸縮材としては、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を好適に用いることができる。
【０１２１】
伸縮材は、十分な伸縮力を作用させるため、通常１２０〜４００％、好ましくは２００〜３００％の伸長状態で固定することが好ましい。伸縮材は、例えば、ホットメルト接着剤、その他の流動性の高い接着剤を用いた接着、ヒートシールをはじめとする熱や超音波等による溶着によって固定することができる。
【実施例】
【０１２２】
本発明のテープ型使い捨ておむつについて、図面を参照しながら更に具体的に説明する。但し、本発明のテープ型使い捨ておむつは、その発明特定事項を備えたテープ型使い捨ておむつを全て包含するものであり、以下の実施例に限定されるものではない。
【０１２３】
〔実施例１〕
実施例１として、図１Ａ〜図１Ｄに示すテープ型使い捨ておむつ１Ａを作製した。このテープ型使い捨ておむつ１Ａは、乳児用Ｌサイズのものであり、おむつ本体５０の前後方向長さを４８５ｍｍ、前身頃２及び後身頃６の幅を２３０ｍｍの矩形状に構成した。
【０１２４】
サイドフラップ５６，５８は、伸縮性素材である「ストラフレックス（商品名：出光ユニテック社製）」により構成した。サイドフラップ５６，５８が外側縁５６ｂ，５８ｂから内側縁５６ａ，５８ａに向かうにつれて上下方向長さが長くなるように形成した。
【０１２５】
具体的には、サイドフラップ５６，５８の外側縁５６ｂ，５８ｂの上下方向長さを６０ｍｍ、内側縁５６ａ，５８ａの上下方向長さを１０８ｍｍとした。左右方向の長さは８０ｍｍとした。
【０１２６】
サイドフラップ５６，５８はおむつ本体５０の外表面、即ちカバーシート２４の表面に弱接合した（接合部６８，７０）。カバーシート２４の材質はポリプロピレン繊維からなるスパンボンド不織布とした。サイドフラップ５６，５８はおむつ本体５０の両側縁５０ａ，５０ｂの内側１１〜１７ｍｍの範囲（幅６ｍｍ）にサイドフラップの全長にわたって接合部６８，７０を形成することにより接合した。接合部６８，７０は、より具体的には幅２ｍｍ、長さ１．５ｍｍの矩形状接合部を複数個集合的に形成したものであり、前記矩形状接合部をおむつの長さ方向に４ｍｍ間隔、おむつの幅方向に２ｍｍ間隔で配列するものとした。これにより、おむつ本体５０とサイドフラップ５６，５８は各々左右方向に２７ｍｍの範囲で重畳するように接合された。また、サイドフラップ５６，５８はその上端がおむつ本体５０の後端から２１ｍｍ離れた位置に配置されるように弱接合した。
【０１２７】
接合方法は熱融着（ヒートシール）とし、引張速度２００ｍｍ／分、１８０°ピールの条件下で測定した剥離強度は５Ｎ／２５ｍｍであった。
【０１２８】
図１Ｅに示すように、接合部７０の内側縁７０ａからサイドフラップの内側縁５８ａに至るまでの内側自由端部７４は、内側縁５８ａを波型に形成することにより、おむつ本体５０の幅方向中央に向かって凸となる凸部７８を有する形状に形成した。凸部７６，７８の形状は曲線的な山型とし、凸部の高さは５ｍｍ、凸部間の頂点の間隔（サイドフラップ５６，５８の上下方向の長さ）は１７．３ｍｍとした。
【０１２９】
サイドフラップ５６，５８の外側縁部には、サイドフラップ５６，５８の外側縁５６ｂ，５８ｂから更に２７ｍｍ外側に延出されるように一対の止着テープ６０，６２を接合した。止着テープ６０，６２は、幅４０ｍｍ（サイドフラップ５６，５８の上下方向の長さ）、長さ４２ｍｍ（サイドフラップ５６，５８の左右方向の長さ）とし、サイドフラップ５６，５８と左右方向１５ｍｍの範囲で重畳されるように接合した。接合方法はホットメルト接着剤による接着とした。
【０１３０】
止着テープ６０，６２は、その外側縁６０ａ，６２ａの内側７〜２２ｍｍの範囲に幅１５ｍｍ（止着テープ６０，６２の左右方向の長さ）のフック材６４，６６を接合したものとした。
【０１３１】
なお、実施例１のテープ型使い捨ておむつ１Ａには、前身頃２側にサイドフラップ１２６，１２８を付設した。サイドフラップ１２６，１２８は幅２０ｍｍの部分をサイドシート１９とカバーシート２４に挟み込み、ホットメルト接着剤により接着することで固定した。おむつ本体５０の両側縁５０ａ，５０ｂから外部に露出する部分は上底４０ｍｍ、下底６０ｍｍの等脚台形状とし、前記下底がおむつ本体５０の前端から１５〜７５ｍｍの範囲に配置されるように付設した。
【０１３２】
実施例１の使い捨ておむつは、接合部６８，７０を剥離することにより、おむつ本体からサイドフラップ５６，５８を外すことができ、おむつを着用者の後側から取り外すことが容易となった。
【０１３３】
〔２〕実施例２：
実施例２として、図２Ａ〜図２Ｃに示すテープ型使い捨ておむつ１Ｂを作製した。サイドフラップ５６，５８の形状を変更し、接合部６８，７０の位置をずらし、サイドフラップ５６，５８にフック材６４，６６を接合し、おむつ本体５０にループ材９２，９４を接合したことを除き、実施例１のテープ型使い捨ておむつと同様に構成した。
【０１３４】
サイドフラップ５６，５８の形状は、外側縁５６ｂ，５８ｂの上下方向長さを６０ｍｍ、内側縁５６ａ，５８ａの上下方向長さを１２０ｍｍとした。左右方向の長さは１００ｍｍとした。
【０１３５】
サイドフラップ５６，５８の内側縁５６ａ，５８ａの内側１２．５〜２２．５ｍｍの範囲（幅１０ｍｍ）に、幅１０ｍｍ、長さ９０ｍｍのフック材８８，９０を接合した。実施例１のテープ型使い捨ておむつと同様におむつ本体に接合することにより、おむつ本体５０とサイドフラップ５６，５８の重畳部分にフック材が配置された。また、おむつ本体５０の両側縁５０ａ，５０ｂの内側２２〜５７ｍｍの範囲に、幅３５ｍｍ、長さ１４０ｍｍのループ材９２，９４を接合した。フック材８８，９０及びループ材９２，９４の接合はホットメルト接着剤による接着で行った。
【０１３６】
実施例２の使い捨ておむつは、おむつ本体５０からサイドフラップ５６，５８を剥がした後もループ材９２，９４に対してフック材８８，９０を止め付けることで、高い係合力でおむつを再装着することができた。
【０１３７】
〔３〕実施例３：
実施例３として、図３Ａ〜図３Ｃに示すテープ型使い捨ておむつ１Ｃを作製した。接合部６８，７０とフック材８８，９０の位置を入れ替え、ループ材９２，９４の位置をずらし、サイドフラップ５６，５８の内側縁５６ａ，５８ａを波型ではなく直線的に形成し、サイドフラップ５６，５８にサイドフラップ破断用の切り込み線９６，９８を形成したことを除き、実施例２のテープ型使い捨ておむつと同様に構成した。
【０１３８】
図３Ｂに示すようにサイドフラップ５６，５８の内側自由端部の上下方向中央部に、その軌跡がサイドフラップ５６，５８の内側縁５６ａ，５８ａに向かって凸となる形状に、サイドフラップ破断用の切り込み線９６，９８を形成した。図３Ｄに示すように切り込み線９８の軌跡によって描かれる凸部１００の形状は角部がＲカットされた略等脚台形状とした。凸部の高さは１５ｍｍ、前記略等脚台形の上底に対応する部分の長さは４０ｍｍ、下底に対応する部分の長さは４４ｍｍとした。
【０１３９】
また、図３Ｄに示すように外側自由端部８６におけるフック材９０の付設位置と接合部７０の外側縁７０ｂとの間の領域に、内側自由端部７４に形成された切り込み線９８と外側自由端部８６の上端１０４及び下端１０８とを繋ぐようにサイドフラップ破断用の切り込み線９８を形成した。外側自由端部に形成される切り込み線は上端側、下端側各々２５ｍｍの長さとした。即ち、切り込み線９８の両端を結ぶ最短距離（サイドフラップ５８の上下方向の長さ）を９４ｍｍとした。なお、外側自由端部８６の上端１０４及び下端１０８から各３ｍｍの部分については切り込み線９８を形成せず、切り残した。
【０１４０】
図３Ａ〜図３Ｃに示すようにサイドフラップ５６，５８はおむつ本体５０の両側縁５０ａ，５０ｂの内側３１〜３７ｍｍの範囲（幅６ｍｍ）にサイドフラップの全長にわたって接合部６８，７０を形成することにより接合した。また、サイドフラップ５６，５８の内側縁５６ａ，５８ａの外側２６〜３６ｍｍの範囲（幅１０ｍｍ）に、幅１０ｍｍ、長さ９０ｍｍのフック材８８，９０を接合した。更に、おむつ本体５０の両側縁５０ａ，５０ｂの内側６〜２６ｍｍの範囲（幅２０ｍｍ）に、幅２０ｍｍ、長さ１４０ｍｍのループ材９２，９４を接合した。
【０１４１】
実施例３の使い捨ておむつも実施例２の使い捨ておむつと同様に、おむつ本体５０からサイドフラップ５６，５８を剥がした後もループ材９２，９４に対してフック材８８，９０を止め付けることで、高い係合力でおむつを再装着することができた。
【産業上の利用可能性】
【０１４２】
本発明のテープ型使い捨ておむつは、乳幼児用又は介護を必要とする高齢者や障害者等の成人用の使い捨ておむつとして利用することができる。
【符号の説明】
【０１４３】
１Ａ，１Ｂ，１Ｃ：テープ型使い捨ておむつ、２：前身頃、４：股下部、６：後身頃、１３：フロントパッチ、１８：トップシート、１９：サイドシート、２０：バックシート、２２：吸収体、２４：カバーシート、２６，２６ａ，２６ｂ：立体ギャザー、３２：撥水性シート、３６：立体ギャザー伸縮材、４０：脚周り伸縮材、４２：ウエスト周り伸縮材、４６：ループ材、５０：おむつ本体、５０ａ，５０ｂ：両側縁、５２，５４：接合部、５６，５８：サイドフラップ、５６ａ，５８ａ：内側縁、５６ｂ，５８ｂ：外側縁、６０，６２：止着テープ、６０ａ，６２ａ：外側縁、６４，６６：フック材、６８，７０：接合部、７０ａ：内側縁、７０ｂ：外側縁、７４：内側自由端部、７８：凸部、８０，８２：ファスニング部材、８６：外側自由端部、８８，９０：フック材、９２，９４：ループ材、９６，９８：切り込み線、１００：凸部、１０２，１０４：上端、１０６，１０８：下端、１１０：原料シート、１１２：切断線、１１４：右サイドフラップ、１１６：左サイドフラップ、１１８：原料シート、１２０：切断線、１２２：右サイドフラップ、１２２ａ：上端縁、１２２ｂ：下端縁、１２４：左サイドフラップ、１２４ａ：上端縁、１２４ｂ：下端縁、１２６，１２８：サイドフラップ。
【図１Ａ】
2011120718.tif 000003
【図１Ｂ】
2011120718.tif 000004
【図１Ｃ】
2011120718.tif 000005
【図１Ｄ】
2011120718.tif 000006
【図１Ｅ】
2011120718.tif 000007
【図２Ａ】
2011120718.tif 000008
【図２Ｂ】
2011120718.tif 000009
【図２Ｃ】
2011120718.tif 000010
【図２Ｄ】
2011120718.tif 000011
【図２Ｅ】
2011120718.tif 000012
【図３Ａ】
2011120718.tif 000013
【図３Ｂ】
2011120718.tif 000014
【図３Ｃ】
2011120718.tif 000015
【図３Ｄ】
2011120718.tif 000016
【図３Ｅ】
2011120718.tif 000017
【図４Ａ】
2011120718.tif 000018
【図４Ｂ】
2011120718.tif 000019